(57)【特許請求の範囲】
【請求項１】
相対する長辺側土手部と相対する短辺側土手部とを有する底部と、前記相対する長辺側土手部にヒンジ連結された長側壁と、前記相対する短辺側土手部にヒンジ連結された短側壁とからなり、略垂直状態の前記長側壁及び前記短側壁を、前記底部に重なるようにそれぞれ倒すことにより折り畳むことが可能な折り畳みコンテナーにおいて、前記底部の角部には、上に位置する折り畳みコンテナーの底部嵌合部が嵌合可能な切り欠き段部が形成されているとともに平面形状が略Ｌ字状の端部係合ブロックが配設されており、また、前記長辺側土手部の中央部には、上に位置する折り畳みコンテナーの底部嵌合部が嵌合可能な切り欠き段部が形成されているとともに上面に一対の嵌合凸部が突設された中間ブロックが配設されていることを特徴とする折り畳みコンテナー。
【請求項２】
長側壁の上端の内側角部に、切り欠き段部が形成されているとともに、前記切り欠き段部の中央部には、係止張出部が形成されていることを特徴とする請求項１に記載の折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来，平面形状が略長方形に形成された底部の相対する長辺側に位置する土手部に、ヒンジ部材を介して連結された長側壁と、底部の相対する短辺側に位置するとともに、上記長側壁が連接された土手部より高い土手部に、ヒンジ部材を介して連結された短側壁とからなる折り畳みコンテナーが知られている。そして、箱型に組み立てられた状態から、先ず最初に、底部の相対する長辺側に位置する土手部に連結された長側壁を、底部の上に重なるように折り畳み、次いで、長側壁が連接された土手部より高い土手部に連結された短側壁を、長側壁の上に重なるように折り畳むことにより、折り畳みコンテナーを折り畳むとともに、折り畳まれた状態から、先ず最初に、短側壁を、略垂直に立て、次いで、長側壁を、略垂直に立てて、折り畳みコンテナーを、箱型に組み立てるように構成されている。
【０００３】
【発明が解決しようとする課題】
上述した従来の折り畳みコンテナーを、折り畳んだ状態、或いは、箱型に組み立てられた状態で、段積みすると、上に位置する折り畳んだ状態、或いは、箱型に組み立てられた折り畳みコンテナーが、水平方向に移動し、安定した状態で、多数の折り畳みコンテナーを段積みすることができないという問題があった。また、大きい折り畳みコンテナーの上に、小さな折り畳みコンテナーを、段積みする際にも、上記と同様の問題が発生する。
【０００４】
本発明の目的は、上述した従来の折り畳みコンテナーが有する課題を解決することにある。
【０００５】
【課題を解決するための手段】
本発明は、上述した目的を達成するために、相対する長辺側土手部と相対する短辺側土手部とを有する底部と、前記相対する長辺側土手部にヒンジ連結された長側壁と、前記相対する短辺側土手部にヒンジ連結された短側壁とからなり、略垂直状態の前記長側壁及び前記短側壁を、前記底部に重なるようにそれぞれ倒すことにより折り畳むことが可能な折り畳みコンテナーにおいて、第１には、前記底部の角部には、上に位置する折り畳みコンテナーの底部嵌合部が嵌合可能な切り欠き段部が形成されているとともに平面形状が略Ｌ字状の端部係合ブロックが配設されており、また、前記長辺側土手部の中央部には、上に位置する折り畳みコンテナーの底部嵌合部が嵌合可能な切り欠き段部が形成されているとともに上面に一対の嵌合凸部が突設された中間ブロックが配設されているものであり、第２には、長側壁の上端の内側角部に、切り欠き段部が形成されているとともに、前記切り欠き段部の中央部には、係止張出部が形成されているものである。
【０００６】
【実施例】
以下に、本発明の実施例について説明するが、本発明の趣旨を越えない限り何ら、本実施例に限定されるものでない。
【０００７】
１は、平面形状が略長方形に形成された底部であり、底部１の相対する長辺側には、土手部１ａ（以下、この土手部を、単に、長辺側土手部という。）が形成されており、また、底部１の相対する短辺側にも、土手部１ｂ（以下、この土手部を、単に、短辺側土手部という。）が形成されており、長辺側土手部１ａの高さは、短辺側土手部１ｂの高さより、低く形成されている。長辺側土手部１ａには、適当なヒンジ部材Ｈを介して、長側壁２が配設されており、また、短辺側土手部１ｂには、同じく、適当なヒンジ部材Ｈを介して、短側壁３が配設されている。
【０００８】
底部１の角部には、長辺側土手部１ａ及び短辺側土手部１ｂの上面を超えて、上方に延在する端部係合ブロック４が形成されており、端部係合ブロック４の上部内側角部には、切り欠き段部４ａが形成されている。端部係合ブロック４は、長辺側土手部１ａに沿った部分と、これよりも長い、短辺側土手部１ｂに沿った部分とからなり、平面形状が略Ｌ字状に形成されている。
【０００９】
底部１の長辺側土手部１ａの中央部には、中間係合ブロック５が形成されており、中間係合ブロック５の上面は、上述した端部係合ブロック４の上面と同じ高さに形成されている。中間係合ブロック５の上面には、所定の間隔をおいて、一対の嵌合凸部５ａが突設されており、また、中間係合ブロック５の上部内側角部には、中央部に位置する係止張出部５ｂを残して、上述した端部係合ブロック４に形成された切り欠き段部４ａと同様の切り欠き段部５ｃが形成されている。
【００１０】
長側壁２には、図１〜図３に示されているように、長側壁２を、底部１に対して略垂直に立てた場合に、長側壁２の下端部が、中間係合ブロック５に当接しないように、長側壁２の下端部の中央部に、凹部２ａが形成されており、また、同じく、長側壁２を、底部１に対して略垂直に立てた場合に、長側壁２の下端部が、長辺側土手部１ａ側に位置する端部係合ブロック４に当接しないように、長側壁２の下部の両端角部には、切り欠き部２ｂが形成されている。同様に、短側壁３を、底部１に対して略垂直に立てた場合に、短側壁３の下端部が、短辺側土手部１ｂ側に位置する端部係合ブロック４に当接しないように、短側壁３の下部の両端角部にも、切り欠き部３ａが形成されている。
【００１１】
長側壁２の上面２ｃの中央部には、上述した底部１の長辺側土手部１ａに形成された中間係合ブロック５に突設された一対の嵌合凸部５ａと同様の嵌合凸部６ａが、所定の間隔を置いて、一対、形成されている。また、長側壁２の上端の内側角部には、切り欠き段部２ｄが形成されており、長側壁２の上面２ｃに形成された嵌合凸部６ａの中央部に位置する切り欠き段部２ｄには、係止張出部７が形成されている。係止張出部７は、長側壁２の上端の内側角部の中央部に、切り欠き段部２ｄを形成しないようにすることにより形成される。同様に、短側壁３の上端の内側角部にも、切り欠き段部３ｂが形成されている。
【００１２】
なお、Ｌ１は、短側壁３の両側端の上部に形成された、短側壁３に対して略垂直に、内側方向に延在する短側壁側ロック部材であり、また、Ｌ２は、長側壁２の外壁面の上部両端部に形成された長側壁側ロック部材である。折り畳みコンテナーＣ１が箱型に組み立てられた際に、短側壁３に形成された短側壁側ロック部材Ｌ１と、長側壁２に形成された長側壁側ロック部材Ｌ２とが係合し、長側壁２が、簡単には、内側に倒れないように構成されている。このような短側壁側ロック部材Ｌ１及び長側壁側ロック部材Ｌ２は、種々の構成のものが公知であるので、詳細な説明は省略する。
【００１３】
折り畳みコンテナーＣ１の裏面斜視図である図４に示されているように、底部１の長辺側土手部１ａの裏面には、下方が開放された凹溝１ａ１が形成されている。凹溝１ａ１には、所定の間隔で、長辺側土手部１ａの長手方向に垂直な隔壁リブが形成されており、長辺側土手部１ａの中央部に位置する一対の隣接する隔壁リブ１ａ２により、凹溝１ａ１の中央部には、嵌合凹部１ａ３が形成されている。同じく、底部１の短辺側土手部１ｂの裏面にも、下方が開放された凹溝１ｂ１が形成されている。凹溝１ｂ１にも、所定の間隔で、短辺側土手部１ｂの長手方向に垂直な隔壁リブ１ｂ２が形成されている。
【００１４】
８は、折り畳みコンテナーＣ１の底部１の裏面であって、且つ、長辺側土手部１ａの裏面に形成された凹溝１ａ１及び短辺側土手部１ｂの裏面に形成された凹溝１ｂ１に囲まれた領域に形成された底部嵌合部であり、長辺側土手部１ａ及び短辺側土手部１ｂの下面より、下方に突出するように形成されている。また、底部嵌合部８の短辺８ａに平行な中央領域には、凹溝８ｂが形成されている。図５に示されているように、上述した折り畳みコンテナーＣ１の短側壁３の幅と略同じ幅の長側壁２０を有するとともに、折り畳みコンテナーＣ１の長側壁２の幅の略半分の幅を有する短側壁３０を有する折り畳みコンテナー（以下、上述した折り畳みコンテナーＣ１に対して、便宜的に、１／２折り畳みコンテナーという。）Ｃ２を、その長側壁２０が当接するように２個配置し、その上に、折り畳みコンテナーＣ１を段積みする際には、長側壁２０が当接するように配置された２個の１／２折り畳みコンテナーＣ２の長側壁２０の上端部が、上記の凹溝８ｂに挿入されるように構成されている。なお、本実施例においては、底部嵌合部８は、外周枠８ｃと、外周枠８ｃ内に形成された、縦横に走る交差リブ８ｃ’により形成されている。
【００１５】
上述した構成を有する折り畳みコンテナーＣ１を、図１に示されている箱型に組み立てられた状態から、先ず最初に、略垂直状態の長側壁２を、内側に倒して、図２に示されているように、底部１の上に重ね、次いで、略垂直状態の短側壁３を、内側に倒して、底部１の上に重ねられた長側壁２の上に重ねるようにして、箱型に組み立てられた折り畳みコンテナーＣ１を、図３に示されているように、折り畳むことができる。また、図３に示されている折り畳まれた状態から、略水平状態の短側壁３を、略垂直に立て、次いで、略水平状態の長側壁２を、略垂直に立てることにより、折り畳まれた状態の折り畳みコンテナーＣ１を、箱型に組み立てることができるように構成されている。
【００１６】
図６に示されているように、組み立てられた状態の折り畳みコンテナー同士を段積みした際には、下に位置する折り畳みコンテナーＣ１ｂの長側壁２の上面２ｃ中央部に突設された嵌合凸部６ａが、上に位置する折り畳みコンテナーＣ１ｕの底部１の長辺側土手部１ａ裏面に形成された凹溝１ａ１の中央部に位置する嵌合凹部１ａ３に挿入されるとともに、下に位置する折り畳みコンテナーＣ１ｂの長側壁２の嵌合凸部６ａ間に位置する係止張出部７は、上に位置する折り畳みコンテナーＣ１ｕの底部嵌合部８に形成された凹溝８ｂに挿入されるように構成されている。更に、上に位置する折り畳みコンテナーＣ１ｕの底部嵌合部８は、下に位置する折り畳みコンテナーＣ１ｂの長側壁２の上端内側角部に形成された切り欠き段部２ｄ及び短側壁３の上端内側角部に形成された切り欠き段部３ｂに嵌合され、また、上に位置する折り畳みコンテナーＣ１ｕの長辺側土手部１ａ及び短辺側土手部１ｂの裏面が、下に位置する折り畳みコンテナーＣ１ｂの長側壁２の上面２ｃ及び短側壁３の上面３ｃに載置されるように構成されている。
【００１７】
また、図３に示されているような、折り畳まれた状態の折り畳みコンテナーＣ１を、図７に示されているように、段積みした際には、上に位置する折り畳んだ状態の折り畳みコンテナーＣ１ｕの底部嵌合部８が、下に位置する折り畳んだ状態の折り畳みコンテナーＣ１ｂの底部１に形成された端部係合ブロック４の切り欠き段部４ａ及び中間係合ブロック５の切り欠き段部５ｃに嵌合されるとともに、下に位置する折り畳んだ状態の折り畳みコンテナーＣ１ｂの底部１に形成された中間係合ブロック５は、上に位置する折り畳んだ状態の折り畳みコンテナーＣ１ｕの底部１の長辺側土手部１ａ裏面に形成された凹溝１ａ１の中央部に位置する嵌合凹部１ａ３に嵌合され、また、中間係合ブロック５の係止張出部５ｂは、上に位置する折り畳んだ状態の折り畳みコンテナーＣ１ｕの底部嵌合部８に形成された凹溝８ｂに挿入されるように構成されている。そして、上に位置する折り畳んだ状態の折り畳みコンテナーＣ１ｕの長辺側土手部１ａ及び短辺側土手部１ｂの裏面が、下に位置する折り畳んだ状態の折り畳みコンテナーＣ１ｂの底部１に形成された端部係合ブロック４及び中間係合ブロック５の上面に載置されるように構成されている。
【００１８】
図５に示されているように、１／２折り畳みコンテナーＣ２も、上述した折り畳みコンテナーＣ１と同様に、底部１０と、底部１０の長辺側土手部１０ａにヒンジ連結された長側壁２０と、底部１０の短辺側土手部１０ｂにヒンジ連結された短側壁３０とを有しており、箱型に組み立てられた状態から、長側壁２０を、底部１０の上に重ね、次いで、短側壁３０を、底部１０の上に重ねられた長側壁２０の上に重ねることにより．折り畳まれるように構成されている。
【００１９】
また、１／２折り畳みコンテナーＣ２の裏面斜視図である図８に示されているように、１／２折り畳みコンテナーＣ２の底部１０も、凹溝８ｂや中間係合ブロック５が形成されていない以外は、上述した折り畳みコンテナーＣ１の底部１と同じ構成を有している。即ち、底部１０の長辺側土手部１０ａの裏面には、下方が開放された凹溝１０ａ１が形成されており、凹溝１０ａ１には、所定の間隔で、長辺側土手部１０ａの長手方向に垂直な隔壁リブ１０ａ２が形成されている。また、同じく、底部１０の短辺側土手部１０ｂの裏面にも、下方が開放された凹溝１０ｂ１が形成されており、凹溝１０ｂ１にも、所定の間隔で、短辺側土手部１０ｂの長手方向に垂直な隔壁リブ１０ｂ２が形成されている。また、底部１０の長辺側土手部１０ａの裏面に形成された凹溝１０ａ１の両端には、端部嵌合凹部１０ａ３が形成されており、同様に、短辺側土手部１０ｂの裏面に形成された凹溝１０ｂ１の両端にも、端部嵌合凹部１０ｂ３が形成されている。更に、長辺側土手部１０ａの裏面に形成された凹溝１０ａ１及び短辺側土手部１０ｂの裏面に形成された凹溝１０ｂ１に囲まれた領域には、底部嵌合部８０が形成されており、底部嵌合部８０は、長辺側土手部１０ａ及び短辺側土手部１０ｂの下面より、下方に突出するように形成されている。なお、底部嵌合部８も、上述した折り畳みコンテナーＣ１の底部嵌合部８と同様に、外周枠８０ａと、外周枠８０ａ内に形成された、縦横に走る交差リブ８０ｂにより形成されている。
【００２０】
次に、主として、図９を用いて、下に位置する組み立てられた状態の折り畳みコンテナーＣ１への１／２折り畳みコンテナーＣ２の段積みについて説明する。図９には、箱型に組み立てられた状態の１／２折り畳みコンテナーＣ２が示されている。
【００２１】
下に位置する組み立てられた状態の折り畳みコンテナーＣ１の一方の短側壁３の上方に、１／２折り畳みコンテナーＣ２の一方の長側壁２０が位置するように配置した後、１／２折り畳みコンテナーＣ２を下降させると、上記の１／２折り畳みコンテナーＣ２の一方の長側壁２０は、下に位置する組み立てられた状態の折り畳みコンテナーＣ１の一方の短側壁３に載置され、１／２折り畳みコンテナーＣ２の相対する短側壁３０は、下に位置する組み立てられた状態の折り畳みコンテナーＣ１の相対する長側壁２の略半分に載置されることになる。この際、上に位置する１／２折り畳みコンテナーＣ２の底部１０に形成された底部嵌合部８０は、下に位置する折り畳みコンテナーＣ１の長側壁２の上端内側角部に形成された切り欠き段部２ｄ及び短側壁３の上端内側角部に形成された切り欠き段部３ｂに嵌合され、また、上に位置する１／２折り畳みコンテナーＣ２の長辺側土手部１０ａ及び短辺側土手部１０ｂの裏面が、下に位置する折り畳みコンテナーＣ１の長側壁２の上面２ｃ及び短側壁３の上面３ｃに載置されることになる。更に、下に位置する折り畳みコンテナーＣ１の長側壁２の上面２ｃに形成された一対の嵌合凸部６ａのうち、１／２折り畳みコンテナーＣ２の長側壁２０が載置された短側壁３側に位置する嵌合凸部６ａが、上に位置する１／２折り畳みコンテナーＣ２の短辺側土手部１０ｂの裏面に形成された端部嵌合凹部１０ｂ３のうち、下に位置する折り畳みコンテナーＣ１の長側壁２の中央部寄りに位置する端部嵌合凹部１０ｂ３に挿入されることになる。
【００２２】
上述したように、下に位置する組み立てられた状態の折り畳みコンテナーＣ１に、１／２折り畳みコンテナーＣ２を段積みした際には、上に位置する１／２折り畳みコンテナーＣ２の短辺側土手部１０ｂの裏面に形成された端部嵌合凹部１０ｂ３に、下に位置する折り畳みコンテナーＣ１の長側壁２の上面２ｃに形成された嵌合凸部６ａが挿入するように構成されているので、上に位置する１／２折り畳みコンテナーＣ２の、下に位置する組み立てられた状態の折り畳みコンテナーＣ１の長側壁２に沿った横方向への移動が制限されることになり、従って、安定した状態で、１／２折り畳みコンテナーＣ２を段積みすることができる。また、１個の１／２折り畳みコンテナーＣ２のみが、下に位置する折り畳みコンテナーＣ１に段積みされた場合でも、１／２折り畳みコンテナーＣ２が、下に位置する組み立てられた状態の折り畳みコンテナーＣ１の長側壁２に沿って横方向にスライドするようなことが防止できる。更に、段積みされた上に位置する１／２折り畳みコンテナーＣ２が、下に位置する組み立てられた状態の折り畳みコンテナーＣ１に対して、長側壁２に沿って横方向に移動しようとした際には、上に位置する１／２折り畳みコンテナーＣ２の底部嵌合部８０の長辺側土手部１０ａ側に位置する側面８０ｃが、下に位置する組み立てられた状態の折り畳みコンテナーＣ１の長側壁２の上端の内側角部に形成された切り欠き段部２ｄの中央部に位置する係止張出部７に当接するので、１／２折り畳みコンテナーＣ２の移動が制限されることになる。
【００２３】
図１０及び図１１には、折り畳みコンテナーＣ１の長側壁２の上面２ｃに形成された一対の嵌合凸部６ａが省略された実施例が示されている。このように、嵌合凸部６ａを省略し、折り畳みコンテナーＣ１の長側壁２の上面２ｃを平らな面に形成することにより、下に位置する組み立てられた状態の折り畳みコンテナーＣ１に対して、１／２折り畳みコンテナーＣ２を、下に位置する組み立てられた状態の折り畳みコンテナーＣ１の長側壁２に沿って、スライドさせながら段積みすることができる。即ち、図１１に示されているように、下に位置する組み立てられた状態の折り畳みコンテナーＣ１に対して、上に位置する１／２折り畳みコンテナーＣ２の底部嵌合部８０の一部（下に位置する組み立てられた状態の折り畳みコンテナーＣ１の中央寄りに位置する底部嵌合部８０の先端部）を、下に位置する折り畳みコンテナーＣ１の長側壁２の上端内側角部に形成された切り欠き段部２ｄに嵌合するとともに、上に位置する１／２折り畳みコンテナーＣ２の長辺側土手部１０ａ及び短辺側土手部１０ｂの裏面の前方のみを、下に位置する折り畳みコンテナーＣ１の長側壁２の上面２ｃ及び短側壁３の上面３ｃに載置し、且つ、上に位置する１／２折り畳みコンテナーＣ２の底部嵌合部８０を、下に位置する折り畳みコンテナーＣ１の一方の短側壁３の上面３ｃに載置する。この状態から、上に位置する１／２折り畳みコンテナーＣ２を、下に位置する折り畳みコンテナーＣ１の長側壁２に沿って、長側壁２の中央部方向にスライドさせると、上に位置する１／２折り畳みコンテナーＣ２の底部嵌合部８０の長辺側土手部１０ａ側に位置する側面８０ｃが、下に位置する組み立てられた状態の折り畳みコンテナーＣ１の長側壁２の上端の内側角部に形成された切り欠き段部２ｄの中央部に位置する係止張出部７に当接し、それ以上のスライド移動が阻止されるとともに、上に位置する１／２折り畳みコンテナーＣ２の底部嵌合部８０が、下に位置する折り畳みコンテナーＣ１の長側壁２の上端内側角部に形成された切り欠き段部２ｄ及び短側壁３の上端内側角部に形成された切り欠き段部３ｂに嵌合され、また、上に位置する１／２折り畳みコンテナーＣ２の長辺側土手部１０ａ及び短辺側土手部１０ｂの裏面が、下に位置する折り畳みコンテナーＣ１の長側壁２の上面２ｃ及び短側壁３の上面３ｃに載置されて、段積みが完了することになる。
【００２４】
上述したように、下に位置する組み立てられた状態の折り畳みコンテナーＣ１に対して、上に位置する１／２折り畳みコンテナーＣ２をスライドさせて段積みする場合にも、確実に、下に位置する組み立てられた状態の折り畳みコンテナーＣ１の半分の領域に、１／２折り畳みコンテナーＣ２を段積みすることができるとともに、段積みされた上に位置する１／２折り畳みコンテナーＣ２が、下に位置する組み立てられた状態の折り畳みコンテナーＣ１に対して、下に位置する組み立てられた状態の折り畳みコンテナーＣ１の長側壁２に沿って、横方向に移動しようとした際には、上に位置する１／２折り畳みコンテナーＣ２の底部嵌合部８０の長辺側土手部１０ａ側に位置する側面８０ｃが、下に位置する組み立てられた状態の折り畳みコンテナーＣ１の長側壁２の上端の内側角部に形成された切り欠き段部２ｄの中央部に位置する係止張出部７に当接するので、１／２折り畳みコンテナーＣ２の、下に位置する組み立てられた状態の折り畳みコンテナーＣ１の長側壁２に沿う横移動が制限されることになり、安定した状態で、１／２折り畳みコンテナーＣ２を段積みすることができる。
【００２５】
上述したように、底部１の角部には、長辺側土手部１ａ及び短辺側土手部１ｂの上面を超えて上方に延在する、切り欠き段部４ａが形成された端部係合ブロック４が配設されているとともに、底部１の長辺側土手部１ａの中央部には、切り欠き段部５ｃ及び係止張出部５ｂが形成され、且つ、上面に嵌合凸部５ａが突設された中間ブロック５が形成されているので、下に位置する折り畳まれた状態の折り畳みコンテナーＣ１に、同じ折り畳みコンテナーＣ１を段積みした際にも、或いは、１／２折り畳みコンテナーＣ２を段積みした際にも、嵌合状態がずれることなく、安定した状態で、段積みすることができる。
【００２６】
また、長側壁２の上端の内側角部には、切り欠き段部２ｄが形成されているとともに、切り欠き段部２ｄの中央部には、係止張出部７が形成されているので、上に位置する１／２折り畳みコンテナーＣ２を、下に位置する組み立てられた状態の折り畳みコンテナーＣ１の長側壁２に沿ってスライド移動した際に、スライド移動の途中で、上に位置する１／２折り畳みコンテナーＣ２の底部嵌合部８０の長辺側土手部１０ａ側に位置する側面８０ｃが、下に位置する組み立てられた状態の折り畳みコンテナーＣ１の係止張出部７に当接し、それ以上のスライド移動が阻止されるので、確実に、上に位置する１／２折り畳みコンテナーＣ２を、下に位置する組み立てられた状態の折り畳みコンテナーＣ１の半分領域に段積みすることができるとともに、段積みされた上に位置する１／２折り畳みコンテナーＣ２が、下に位置する組み立てられた状態の折り畳みコンテナーＣ１の長側壁２に沿って移動するようなことがなく、安定した状態で、１／２折り畳みコンテナーＣ２を段積みすることができる。
【００２７】
【発明の効果】
本発明は、以上説明した構成を有しているので、以下に記載する効果を奏するものである。
【００２８】
底部の土手部の角部には、切り欠き段部が形成された端部係合ブロックが配設されているとともに、一方の相対する土手部の中央部には、切り欠き段部及び係止張出部が形成され、且つ、上面に嵌合凸部が突設された中間ブロックが配設されているので、下に位置する折り畳まれた状態の折り畳みコンテナーに、同じ折り畳みコンテナーを段積みした際にも、或いは、小型の折り畳みコンテナーを段積みした際にも、嵌合状態がずれることなく、安定した状態で、段積みすることができる。
【００２９】
一方の相対する側壁の上端の内側角部に、切り欠き段部が形成されているとともに、前記切り欠き段部の中央部には、係止張出部が形成されているので、上に位置する小型の折り畳みコンテナーを、下に位置する組み立てられた状態の折り畳みコンテナーの側壁に沿ってスライド移動した際に、スライド移動の途中で、上に位置する小型の折り畳みコンテナーが、係止張出部に当接し、それ以上のスライド移動が阻止されるので、確実に、上に位置する小型の折り畳みコンテナーを、下に位置する組み立てられた状態の折り畳みコンテナーの半分領域に段積みすることができるとともに、段積みされた上に位置する小型の折り畳みコンテナーが、下に位置する組み立てられた状態の折り畳みコンテナーの側壁に沿って移動するようなことがなく、安定した状態で、小型の折り畳みコンテナーを段積みすることができる。
【図面の簡単な説明】
【図１】図１は本発明の折り畳みコンテナーの斜視図である。
【図２】図２は本発明の折り畳みコンテナーの組み立て途中の斜視図である。
【図３】図３は本発明の折り畳みコンテナーの折り畳まれた状態の斜視図である。
【図４】図４は本発明の折り畳みコンテナーの裏面斜視図である。
【図５】図５は本発明の箱型に組み立てられた状態の折り畳みコンテナーの、下に位置する２個の箱型に組み立てられた状態の１／２折り畳みコンテナーへの段積みを説明するための折り畳みコンテナー及び１／２折り畳みコンテナーの斜視図である。
【図６】図６は本発明の箱型に組み立てられた状態の折り畳みコンテナー同士の段積みを説明するための斜視図である。
【図７】図７は本発明の折り畳まれた状態の折り畳みコンテナー同士の段積みを説明するための斜視図である。
【図８】図８は１／２折り畳みコンテナーの裏面斜視図である。
【図９】図９は２個の箱型に組み立てられた状態の１／２折り畳みコンテナーの、下に位置する本発明の箱型に組み立てられた状態の折り畳みコンテナーへの段積みを説明するための折り畳みコンテナー及び１／２折り畳みコンテナーの斜視図である。
【図１０】図１０は２個の箱型に組み立てられた状態の１／２折り畳みコンテナーの、下に位置する本発明の別の実施例の箱型に組み立てられた状態の折り畳みコンテナーへの段積みを説明するための折り畳みコンテナー及び１／２折り畳みコンテナーの斜視図である。
【図１１】図１１は箱型に組み立てられた状態の１／２折り畳みコンテナーの、下に位置する本発明の別の実施例の箱型に組み立てられた状態の折り畳みコンテナーへのスライド移動による段積みを説明するための折り畳みコンテナー及び１／２折り畳みコンテナーの斜視図である。
【符号の説明】
Ｃ１・・・・・・・・・・・折り畳みコンテナー
Ｃ２・・・・・・・・・・・１／２折り畳みコンテナー
１・・・・・・・・・・・・底部
２・・・・・・・・・・・・長側壁
３・・・・・・・・・・・・短側壁
４・・・・・・・・・・・・端部係合ブロック
５・・・・・・・・・・・・中間係合ブロック
５ａ・・・・・・・・・・・嵌合凸部
５ｂ・・・・・・・・・・・係止張出部
６ａ・・・・・・・・・・・嵌合凸部
【図１】
0003769185.tif 000002
【図２】
0003769185.tif 000003
【図３】
0003769185.tif 000004
【図４】
0003769185.tif 000005
【図５】
0003769185.tif 000006
【図６】
0003769185.tif 000007
【図７】
0003769185.tif 000008
【図８】
0003769185.tif 000009
【図９】
0003769185.tif 000010
【図１０】
0003769185.tif 000011
【図１１】
0003769185.tif 000012